【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
所定の隙間を有して積層配置される複数のチューブ（１１，１１ａ，１１ｂ，２１，２１ａ，２１ｂ，５０，５０ａ，５０ｂ）を有し、複数の前記チューブの内部を流れる冷媒と、複数の前記チューブの外部を流れる空気との間で熱交換を行うことにより空気を冷却する熱交換器（６）であって、
前記チューブと隣り合うように配置され、内部に蓄冷材（４１）が収容される蓄冷材容器（４０）と、
前記蓄冷材容器の内部に収容され、前記冷媒と前記蓄冷材との間の熱交換を促進させる伝熱促進部材（４２）と、を備え、
前記蓄冷材容器の外壁部（４００，４１０）の外面は、単一平面状に形成されるとともに、前記チューブの外面に面接触して接合されており、
前記蓄冷材容器の外壁部には、開口部（４０１，４０２，４０７，４１１，４１２，４１７）が形成され、
前記蓄冷材は、前記開口部を通じて前記チューブの外面に直接接触しており、
前記蓄冷材容器の前記外壁部の内面は、前記伝熱促進部材が接合されており、
前記蓄冷材容器の前記外壁部の内面において前記伝熱促進部材が接合されている部分とは反対側に位置する前記外壁部の外面の部分には、前記チューブが接合されており、
前記開口部の内壁面には、前記蓄冷材容器の内部に向かって突出する突出部（４０１ｂ，４０２ｂ，４１１ｂ，４１２ｂ）が形成されている
熱交換器。
【請求項２】
所定の隙間を有して積層配置される複数のチューブ（１１，１１ａ，１１ｂ，２１，２１ａ，２１ｂ，５０，５０ａ，５０ｂ）を有し、複数の前記チューブの内部を流れる冷媒と、複数の前記チューブの外部を流れる空気との間で熱交換を行うことにより空気を冷却する熱交換器（６）であって、
前記チューブと隣り合うように配置され、内部に蓄冷材（４１）が収容される蓄冷材容器（４０）と、
前記蓄冷材容器の内部に収容され、前記冷媒と前記蓄冷材との間の熱交換を促進させる伝熱促進部材（４２）と、を備え、
前記蓄冷材容器の外壁部（４００，４１０）の外面は、単一平面状に形成されるとともに、前記チューブの外面に面接触して接合されており、
前記蓄冷材容器の外壁部には、開口部（４０１，４０２，４０７，４１１，４１２，４１７）が形成され、
前記蓄冷材は、前記開口部を通じて前記チューブの外面に直接接触しており、
前記伝熱促進部材は、前記開口部を通じて前記チューブの外面に接合されている
熱交換器。
【請求項３】
所定の隙間を有して積層配置される複数のチューブ（１１，１１ａ，１１ｂ，２１，２１ａ，２１ｂ，５０，５０ａ，５０ｂ）を有し、複数の前記チューブの内部を流れる冷媒と、複数の前記チューブの外部を流れる空気との間で熱交換を行うことにより空気を冷却する熱交換器（６）であって、
前記チューブと隣り合うように配置され、内部に蓄冷材（４１）が収容される蓄冷材容器（４０）と、
前記蓄冷材容器の内部に収容され、前記冷媒と前記蓄冷材との間の熱交換を促進させる伝熱促進部材（４２）と、を備え、
前記蓄冷材容器の外壁部（４００，４１０）の外面は、単一平面状に形成されるとともに、前記チューブの外面に面接触して接合されており、
前記蓄冷材容器の外壁部には、開口部（４０１，４０２，４０７，４１１，４１２，４１７）が形成され、
前記蓄冷材は、前記開口部を通じて前記チューブの外面に直接接触しており、
前記蓄冷材容器には、前記開口部を格子状に仕切る仕切り部（４０３，４０４，４０８）が形成されている
熱交換器。
【請求項４】
前記仕切り部には、前記伝熱促進部材が接合されている
請求項３に記載の熱交換器。
【請求項５】
前記伝熱促進部材は、インナーフィン（４２０，４２１）である
請求項１〜４のいずれか一項に記載の熱交換器。
【請求項６】
前記チューブは、所定の隙間を有して空気の流れ方向に並べて配置され、
前記蓄冷材容器の外壁部の外面には、空気の流れ方向に並べて配置される各チューブの外面に接合されており、
前記蓄冷材容器の外壁部には、空気の流れ方向に並べて配置される各チューブの間に形成される隙間に向かって突出する突出部（４０５，４１５）が形成されている
請求項１〜５のいずれか一項に記載の熱交換器。
【請求項７】
前記蓄冷材容器は、２つ折りに折り曲げられ、且つ両端部が接合された１枚のプレート部材（４５）により構成されている
請求項１〜５のいずれか一項に記載の熱交換器。
【請求項８】
前記蓄冷材容器は、断面凹字状に形成された２つのプレート部材（４６，４７）の一方のプレート部材（４６）の両側壁部（４６０，４６１）が他方のプレート部材（４７）の両側壁部（４７０，４７１）にそれぞれ嵌め込まれて接合された構造からなる
請求項１〜５のいずれか一項に記載の熱交換器。
【請求項９】
前記開口部は、前記蓄冷材容器において液状の蓄冷材が存在する部分のみに形成されている
請求項１〜８のいずれか一項に記載の熱交換器。
【請求項１０】
前記蓄冷材容器は、
隣り合う２つの前記チューブ（１１ａ，１１ｂ，２１ａ，２１ｂ）の間に配置され、
前記外壁部として、隣り合う２つの前記チューブのうちの一方のチューブ（１１ａ，２１ａ）の外面が接合される第１外壁部（４００）と、他方のチューブ（１１ｂ，２１ｂ）の外面が接合される第２外壁部（４１０）とを有し、
前記開口部は、前記第１外壁部及び前記第２外壁部のいずれか一方に形成されている
請求項１〜９のいずれか一項に記載の熱交換器。
【請求項１１】
前記蓄冷材容器は、
前記チューブとアウターフィン（１２）との間に配置され、
前記蓄冷材容器は、前記外壁部として、前記チューブの外面が接合される第１外壁部（４００）と、前記アウターフィンが接合される第２外壁部（４１０）とを有し、
前記開口部は、前記第１外壁部に形成されている
請求項１〜９のいずれか一項に記載の熱交換器。
【手続補正２】
【補正対象書類名】明細書
【補正対象項目名】０００８
【補正方法】変更
【補正の内容】
【０００８】
上記課題を解決する熱交換器（６）は、所定の隙間を有して積層配置される複数のチューブ（１１，１１ａ，１１ｂ，２１，２１ａ，２１ｂ，５０）を有し、複数のチューブの内部を流れる冷媒と、複数のチューブの外部を流れる空気との間で熱交換を行うことにより空気を冷却する。熱交換器は、蓄冷材容器（４０）と、伝熱促進部材（４２）と、を備える。蓄冷材容器は、チューブと隣り合うように配置され、内部に蓄冷材（４１）が収容される。伝熱促進部材は、蓄冷材容器の内部に収容され、冷媒と蓄冷材との間の熱交換を促進させる。蓄冷材容器の外壁部（４００，４１０）の外面は、単一平面状に形成されるとともに、チューブの外面に面接触して接合されている。蓄冷材容器の外壁部には、開口部（４０１，４０２，４０７，４１１，４１２，４１７）が形成されている。蓄冷材は、開口部を通じてチューブの外面に直接接触している。蓄冷材容器の外壁部の内面は、伝熱促進部材が接合されている。蓄冷材容器の外壁部の内面において伝熱促進部材が接合されている部分とは反対側に位置する外壁部の外面の部分には、チューブが接合されている。開口部の内壁面には、蓄冷材容器の内部に向かって突出する突出部（４０１ｂ，４０２ｂ，４１１ｂ，４１２ｂ）が形成されている。
上記課題を解決する他の熱交換器（６）は、所定の隙間を有して積層配置される複数のチューブ（１１，１１ａ，１１ｂ，２１，２１ａ，２１ｂ，５０）を有し、複数のチューブの内部を流れる冷媒と、複数のチューブの外部を流れる空気との間で熱交換を行うことにより空気を冷却する。熱交換器は、蓄冷材容器（４０）と、伝熱促進部材（４２）と、を備える。蓄冷材容器は、チューブと隣り合うように配置され、内部に蓄冷材（４１）が収容される。伝熱促進部材は、蓄冷材容器の内部に収容され、冷媒と蓄冷材との間の熱交換を促進させる。蓄冷材容器の外壁部（４００，４１０）の外面は、単一平面状に形成されるとともに、チューブの外面に面接触して接合されている。蓄冷材容器の外壁部には、開口部（４０１，４０２，４０７，４１１，４１２，４１７）が形成されている。蓄冷材は、開口部を通じてチューブの外面に直接接触している。伝熱促進部材は、開口部を通じて前記チューブの外面に接合されている。
上記課題を解決する熱交換器（６）は、所定の隙間を有して積層配置される複数のチューブ（１１，１１ａ，１１ｂ，２１，２１ａ，２１ｂ，５０）を有し、複数のチューブの内部を流れる冷媒と、複数のチューブの外部を流れる空気との間で熱交換を行うことにより空気を冷却する。熱交換器は、蓄冷材容器（４０）と、伝熱促進部材（４２）と、を備える。蓄冷材容器は、チューブと隣り合うように配置され、内部に蓄冷材（４１）が収容される。伝熱促進部材は、蓄冷材容器の内部に収容され、冷媒と蓄冷材との間の熱交換を促進させる。蓄冷材容器の外壁部（４００，４１０）の外面は、単一平面状に形成されるとともに、チューブの外面に面接触して接合されている。蓄冷材容器の外壁部には、開口部（４０１，４０２，４０７，４１１，４１２，４１７）が形成されている。蓄冷材は、開口部を通じてチューブの外面に直接接触している。蓄冷材容器には、開口部を格子状に仕切る仕切り部（４０３，４０４，４０８）が形成されている。